(57)【特許請求の範囲】
【請求項１】
ヒンジ板(8)のヒンジシャフト(8c)が挿入されるヒンジシャフト受け具(10)を孔(9a)に挿入する扉キャップ(9)を備えるとともに、 扉(6)の回転角度を規制する規制片(11)を備えた冷蔵庫において、
前記ヒンジシャフト受け具(10)が挿入される孔(12e,12d)を備えた金属製の止め具(12)に係合部(12g)を設け、この係合部(12g)が前記扉キャップ(9)に係合することにより、前記規制された回転角度を越えて前記扉(6)を開けようとした時の応力を分散させることを特徴とする冷蔵庫。
【発明の詳細な説明】
【０００１】
【発明の属する技術分野】
この発明は、冷蔵庫に関する。特に、前面扉を開閉自在に枢支する冷蔵庫に関する。
【０００２】
【従来の技術】
冷蔵庫は、前方に開口した断熱箱体からなる本体内を仕切壁によって上下に仕切り、上方を冷蔵室、下方を冷凍室にするとともに、各室の開口は断熱扉によって閉じられている。
【０００３】
通常、上方の冷蔵室は、回動する開閉扉により開閉自在に閉塞されている。
【０００４】
この開閉扉の左右何れか一側は、特開平８−２１９６２７号公報及び特開平１０−１６０３３２２号公報に記載されているように、冷蔵庫本体に取り付けられた上下ヒンジ板のヒンジシャフト(回転軸)をヒンジシャフト受け具に挿入することによって受けている。ヒンジシャフトは、ヒンジシャフト受け具に設けられた挿入孔に挿入される。この挿入による枢支により、扉は回動自在に取り付けられる。
【０００５】
図１は、この種の扉キャップを有する冷蔵庫の一例を示す斜視図であり、冷蔵庫本体１の下部側には、野菜室や冷凍室となる引出し２，３，４が設けられており、上部側には、冷蔵室５が設けられている。
【０００６】
この冷蔵室５には、その前面開口部を開閉するとともに、内部に発泡断熱材が充填された扉６が設けられている。この扉６は、その上下端部の一側がヒンジ部７、７を介して冷蔵庫本体側に取り付けられ、開閉自在となっている。
【０００７】
例えば、下部側のヒンジ部７においては、冷蔵庫本体側に、拡大図示したような略Ｌ字型の金属性のヒンジ板８が取り付けられている。このヒンジ板８には、冷蔵庫本体１への取付部８ａの一端側に設けられた水平板８ｂの端部にヒンジシャフト８ｃが突設されている。
【０００８】
一方、内部に発泡断熱材が充填された冷蔵室扉６の上下端部は、扉キャップ９により覆われている。この扉キャップ９と上記ヒンジ板８との関係を、下部側を例に図示すると図２に示すようになる。
【０００９】
扉キャップ９は、ＡＢＳ樹脂（アクリロニトリルとブタジェン，スチレンの重合体）等を金型成形してなるもので、ヒンジ部に対応する角部には、上記ヒンジシャフト８ｃが挿通される筒状孔９ａが一体に成形されている。
【００１０】
１０は上記筒状孔９ａとヒンジシャフト８ｃ間に介在させる筒状体からなるヒンジシャフト受け具で、ナイロン（ポリアミド樹脂）等の弾性を有する耐摩耗性樹脂からなる。このヒンジシャフト受け具１０は、下部側に上記筒状孔９ａの内径より大きな外径の鍔部１０ａを有し、上部側は筒状孔９ａの内径より僅かに小さな外径で、上端部は塞がれている。
【００１１】
このようなヒンジシャフト受け具１０を扉キャップ９の筒状孔９ａに下から挿入する。
【００１２】
【発明が解決しようとする課題】
ところで、この扉６の回転角度は、規制されている。
【００１３】
この規制は、特開平１１−３２５７０８号公報及び実開平５−３８２４７号公報に記載されているように、開閉扉側に設けた規制片が、ヒンジ板に当接することにより行われる。
【００１４】
この開閉扉の規制時に無理に開閉扉を更に開けようとすると、無理な応力がヒンジ部の一部分に集中してしまう。
【００１５】
このため、弱い一部が破損して扉にガタツキが生じる畏れがあった。
【００１６】
この発明は、無理に扉を開けようとしたときに、応力が一部に集中することを軽減することを目的とする。
【００１７】
【課題を解決するための手段】
本発明は、ヒンジ板8のヒンジシャフト8cが挿入されるヒンジシャフト受け具10を孔9aに挿入する扉キャップ9を備えるとともに、扉6の回転角度を規制する規制片11を備えた冷蔵庫において、
前記ヒンジシャフト受け具10が挿入される孔12e,12dを備えた金属製の止め具12に係合部(曲げ部12g)を設け、この係合部12gが前記扉キャップ9に係合することにより、前記規制された回転角度を越えて前記扉6を開けようとした時の応力を分散させることを特徴とする。
【００１８】
【発明の実施の形態】
この発明の実施形態を図３〜図６を参照しつつ説明する。なお、この実施形態は、前述の特開平１０−１６０３３２２号公報に記載されている発明と同様に断面コ字型の止め板を備えるものである。
【００１９】
図３はこの実施形態でのヒンジシャフト周辺の構造を説明するための図である。図４は、扉の開成時に、開閉扉側に設けた規制片が、ヒンジ板に当接している状況を表した図である。図５は従来動作を説明するための図である。図６は本実施形態での応力の分散を説明するための図である。
【００２０】
図３において、８は、下側のヒンジ板である。このヒンジ板８にはヒンジシャフト８ｃが突設されている。
【００２１】
９は扉キャップであり、内部に発泡断熱材が充填された冷蔵室扉の下端を覆う。扉キャップ９は、ＡＢＳ樹脂等を金型成形してなるもので、ヒンジシャフト受け具１０が挿通される孔９ａが成形されている。９ｃはネジ挿入孔である。
【００２２】
１０は孔９ａとヒンジシャフト８ｃ間に介在させる筒状体からなるヒンジシャフト受け具であり、ナイロン（ポリアミド樹脂）等の弾性を有する耐摩耗性樹脂からなる。
【００２３】
このヒンジシャフト受け具１０は筒状部１０ａを一体に備えている。この筒状部１０ａは、内部に下方よりヒンジシャフト８ｃが挿入される孔を備え、上端部は塞がれている。１０ｃはねじ挿入孔である。
【００２４】
このようなヒンジシャフト受け具１０の筒状部１０ａを扉キャップ９の孔９ａに下から挿入する。
【００２５】
１１は、規制片であり、扉の回転角度を規制する。１１ａは筒状部１０ａが挿入される挿入孔である。１１ｂはねじ挿入孔である。
【００２６】
９は前述したように下側の扉キャップである。
【００２７】
９ｂは壁部であり、規制片が配置される。
【００２８】
１２は、筒状部１０ａを係止する止め板で、この止め板１２は上止め部１２ａと、下止め部１２ｂと、これらの止め部を連結する連結部１２ｃとでコ字状に形成されている。
【００２９】
下止め部１２ｂには、ヒンジシャフト８ｃの通る筒状部１０ａに嵌合される孔１２ｄが設けられている。
【００３０】
上止め部１２ａには筒状部１０ａの上端が挿入される孔１２ｅが設けられている。１２ｆはネジ挿入孔である。１２ｇは曲げ部であり、壁部９ｂに係合する。１３はネジである。
【００３１】
このような構造の扉６を一杯に開け開くと、図３のＡに示すように規制片１１の当接部がヒンジ板８の周面に当接する。
【００３２】
これにより、開閉扉６の開く角度は、規制される。
【００３３】
しかし、この状態で更に開けようとすると、金属製の規制片１１は金属製のヒンジ板８にすでに当接しているので、動かないが、扉６の各部には開けようとする方向に強い力が働く。
【００３４】
このため、例えば、図５に示すように、金属製の止め板１２は強い力が加わるが破損せずに、位置がずれる。この位置ずれにより、力は、金属製の部品以外の部品に強く加わることになる。そして、樹脂等で成形した部品の一部に力が集中すると、破損することになる。
【００３５】
この実施形態では、扉キャップ９の孔９ａの内面付近が弱いと思われる。
【００３６】
しかし、本実施形態では、止め板１２に曲げ部１２ｇを設けている。このため、開閉扉６を規制角度以上に開けようとすると、図６に示すように、止め板１２は強い力が加わりずれようとするが、曲げ部１２ｇが段差９ｂに嵌合しているので、位置ずれすることがない。また、ヒンジシャフトからの力を図６に示すように、段差の部分に分散することができるので、扉キャップ９の孔９ａの内面の一部に力が集中するのを防止できる。
【００３７】
【発明の効果】
本発明によれば、本発明は、ヒンジ板のヒンジシャフトが挿入されるヒンジシャフト受け具を孔に挿入する扉キャップを備えるとともに、回転角度を規制する規制片を備えた冷蔵庫において、ヒンジシャフト受け具が挿入される孔を備えた金属製の止め具に係合部を設け、この係合部が前記扉キャップに係合することにより、前記規制された回転角度を越えて前記扉を開けようとした時の応力を分散させるので、樹脂部材の一部が破損して扉にガタツキが生じる畏れを防止することができる。
【図面の簡単な説明】
【図１】この従来の冷蔵庫の斜視図である。
【図２】この従来の冷蔵庫のヒンジ部分を示す斜視図である。
【図３】この発明の実施形態の一例を示す図である。
【図４】扉の回転角度の規制を説明するための図である。
【図５】従来の動きを説明するための図である。
【図６】この発明の働きを説明するための図である。
【符号の説明】
１    冷蔵庫、
６    扉、
９  扉キャップ、
９ａ  扉キャップの孔、
８  ヒンジ板、
８ｃヒンジシャフト、
１０ヒンジシャフト受け具、
１１  規制片、
１２  止め板、
１２ｇ  曲げ部。
【図１】
0003889590.tif 000002
【図２】
0003889590.tif 000003
【図３】
0003889590.tif 000004
【図４】
0003889590.tif 000005
【図５】
0003889590.tif 000006
【図６】
0003889590.tif 000007